(57)【要約】【課題】通信ネットワークを介した空気調和機の操作をユーザが安心して行える環境を提供できる空調システムを構築する。【解決手段】空調システムでは、通信端末装置から空気調和機の空気調和運転を開始させる操作がなされると、空気調和機は自動ＯＦＦモードに設定される。通信端末装置は、空気調和機が自動ＯＦＦモードに設定された状態にあることを示す情報を取得すると、その情報（１０１）を表示部（３６）に表示する。【選択図】図７
2015049032.tif 000002
【特許請求の範囲】
【請求項１】
室内の空気調和運転が可能な空気調和機と、上記空気調和機を通信ネットワークを介して操作する端末装置と、を備えた空調システムにおいて、
上記端末装置から上記空気調和機の上記空気調和運転を開始させる操作がなされた場合に、上記空気調和機を、所定条件が満された時点から所定時間後に上記空気調和運転が停止となる自動ＯＦＦモードに設定するモード設定部と、
上記空気調和機の状態を示す情報を取得する状態取得部と、
上記端末装置が有する表示部での表示を制御する表示制御部と、を備え、
上記状態取得部が、上記空気調和機が自動ＯＦＦモードに設定された状態にあることを示す情報を取得すると、上記表示制御部は、上記空気調和機が自動ＯＦＦモードに設定された状態にあることを示す情報を上記表示部に表示することを特徴とする空調システム。
【請求項２】
上記モード設定部は、上記空気調和機に備えられており、
上記空気調和機は、上記自動ＯＦＦモードに設定されている場合、上記所定条件が満された時点から所定時間後に自機の上記空気調和運転を停止することを特徴とする請求項１に記載の空調システム。
【請求項３】
上記空気調和機と上記端末装置とは、上記通信ネットワークに接続されたサーバ装置を介して通信しており、
上記空気調和機と上記サーバ装置との間で通信エラーが発生した場合には、上記表示制御部は、当該通信エラーが発生していることを示す情報を上記表示部に表示することを特徴とする請求項１または２に記載の空調システム。
【請求項４】
上記空気調和機と上記サーバ装置との間の通信エラーを検知するエラー検知部を備え、
上記自動ＯＦＦモードは、上記エラー検知部が通信エラーを検知した時点から所定時間後に上記空気調和運転が停止となるモードであること特徴とする請求項３に記載の空調システム。
【請求項５】
上記サーバ装置は、上記空気調和機の状態を示す情報を格納しており、
上記空気調和機と上記サーバ装置との間で通信エラーが発生した場合には、上記状態取得部は、上記サーバ装置に格納されている上記空気調和機の状態を示す最新の情報を取得し、上記表示制御部は、当該最新の情報を上記表示部に表示することを特徴とする請求項３また４に記載の空調システム。
【請求項６】
上記空気調和機は、上記サーバ装置との間に発生した通信エラーが解消されることなく上記サーバ装置への所定時間毎の接続を所定回数繰り返すと、当該所定時間を長くなるように変更してから再接続を実行することを特徴とする請求項３から５のいずれか１項に記載の空調システム。
【請求項７】
上記状態取得部は、上記端末装置へのユーザ操作が所定時間無い場合、上記空気調和機の状態を示す情報を取得することを特徴とする請求項１から６のいずれか１項に記載の空調システム。
【請求項８】
上記室内の温度または湿度の少なくとも一方を検知する環境検知部を備え、
上記表示制御部は、上記環境検知部が上記空気調和運転とは無関係に動作する環境監視モードに設定されているか否かの情報、または、上記環境検知部による検知結果に応じた情報を、上記表示部に表示することを特徴とする請求項１から７のいずれか１項に記載の空調システム。
【発明の詳細な説明】
【技術分野】
【０００１】
本発明は、通信ネットワークを介して遠隔操作できる空調システムに関する。
【背景技術】
【０００２】
近年、宅外からでも宅内の空気調和機（エアコン）を外部の通信ネットワークを介して遠隔操作できる空調システムが開発されている（例えば、特許文献１参照）。このようなシステムには、空気調和機が所定時間後に冷房や暖房などの空気調和運転を自動停止する状態になるものがある。
【先行技術文献】
【特許文献】
【０００３】
【特許文献１】特開２００２−３４５０５１号公報（２００２年１１月２９日公開）
【特許文献２】特開２０１３−７６４９３号公報（２０１３年４月２５日公開）
【発明の概要】
【発明が解決しようとする課題】
【０００４】
しかしながら、宅外から外部の通信ネットワークを介して空気調和機を遠隔操作した場合、ユーザは空気調和機が上記のような自動停止する状態になっているのか否か知る術がない。そのため、例えば、通信エラーが発生した場合、エアコンは自動停止するのか、通信が復旧するまで、あるいは誰かが宅内に行って、外部の通信ネットワークを介さないリモコン(例えば、赤外線方式や無線方式のものが公知である)にて冷房や暖房などの空気調和運転を停止するまで運転が続くのか、ユーザには不安が残る。つまり、これまでのシステムでは、宅外から空気調和機の遠隔操作を行うユーザの不安を解消できない。
【０００５】
そこで、本願発明は、上記課題に鑑みなされ、通信ネットワークを介した空気調和機の操作をユーザが安心して行える環境を提供できる空調システムを構築することにある。
【課題を解決するための手段】
【０００６】
上記の課題を解決するために、本発明の一態様に係る空調システムは、室内の空気調和運転が可能な空気調和機と、上記空気調和機を通信ネットワークを介して操作する端末装置と、を備えた空調システムにおいて、上記端末装置から上記空気調和機の上記空気調和運転を開始させる操作がなされた場合に、上記空気調和機を、所定条件が満された時点から所定時間後に上記空気調和運転が停止となる自動ＯＦＦモードに設定するモード設定部と、上記空気調和機の状態を示す情報を取得する状態取得部と、上記端末装置が有する表示部での表示を制御する表示制御部と、を備え、上記状態取得部が、上記空気調和機が自動ＯＦＦモードに設定された状態にあることを示す情報を取得すると、上記表示制御部は、上記空気調和機が自動ＯＦＦモードに設定された状態にあることを示す情報を上記表示部に表示することを特徴としている。
【発明の効果】
【０００７】
本発明の一態様に係る空調システムの上記構成では、端末装置の表示部に空気調和機が自動ＯＦＦモードの状態にあるという情報が表示される。そのため、ユーザはこの情報を端末装置の表示部から容易に確認することができる。よって、上記空調システムにより、通信ネットワークを介した空気調和機の操作を安心して行える環境をユーザに提供することができる。
【図面の簡単な説明】
【０００８】
【図１】本発明の一実施形態に係る空調システムの構成を示すブロック図である。
【図２】上記空調システムに含まれる通信端末装置の概略構成を示すブロック図である。
【図３】上記空調システムに含まれる家電アダプタおよび空気調和機の概略構成を示すブロック図である。
【図４】上記空調システムに含まれるクラウドサーバの概略構成を示すブロック図である。
【図５】上記空調システムにおける、通信端末装置を用いて空気調和機１０を遠隔操作するイメージを示す図である。
【図６】上記通信端末装置の表示部に表示された上記空気調和機についての情報の一例を示す図である。
【図７】（ａ）〜（ｆ）は、上記通信端末装置から上記空気調和機に対して遠隔操作する際に、上記通信端末装置の表示部に表示される情報の例を示す図である。
【図８】上記通信端末装置から上記空気調和機に対して遠隔操作する際の処理の流れを示す図である。
【図９】上記空気調和機の状態情報を取得する際の処理の流れを示す図である。
【図１０】（ａ），（ｂ）は、通信エラー発生時に表示部に表示される情報の一例を示す図である。
【図１１】通信エラー発生時の表示処理についての流れを示す図である。
【図１２】上記空気調和機が備える環境検知部が検知した温度および湿度の値に対応付けられたマークの例を示す図である。
【発明を実施するための形態】
【０００９】
〔実施形態１〕
以下、本発明の一実施形態について図１〜９に基づいて説明すれば以下のとおりである。
【００１０】
（空調システムの構成）
図１は、本実施の形態にかかる空調システム１００の概略構成を示す図である。図１に示すように、空調システム１００は、ユーザの宅内（室内）５０に設置されている家電アダプタ５が接続された空気調和機１０と、空気調和機１０のクラウドサーバ（サーバ装置）２０と、通信端末装置（端末装置）３０−１，３０−２，３０−３とを含んで構成されている。図１では、通信端末装置３０−１，３０−２，３０−３と３つの通信端末装置を図示しているが、個数はこれに限定されるものではない。これらを個別に説明する必要のない場合は、通信端末装置３０と総称する。
【００１１】
本実施形態では、クラウドサーバ２０に通信端末装置３０と家電アダプタ５との組み合わせが登録されることで、通信端末装置３０から、家電アダプタ５が接続された空気調和機１０を遠隔操作できるものとする。
【００１２】
図１に示す空調システム１００では、簡略して３つの通信端末装置３０（３０−１、３０−２、３０−３）と１つの家電アダプタ５とがクラウドサーバ２０を介して接続しているが、クラウドサーバ２０を介して、複数の通信端末装置３０…と複数の家電アダプタ５…とが接続する。なお、１つの通信端末装置３０は、複数の家電アダプタ５…を個別に遠隔操作できるようになっている。つまり、１つの通信端末装置３０から、それぞれ家電アダプタが接続された複数の装置を遠隔操作できる。また、複数の通信端末装置３０…から、１つの家電アダプタ５に接続された装置を遠隔操作できるようになっている。
【００１３】
宅内５０には、狭域通信ネットワークである無線ＬＡＮが整備されており、無線ＬＡＮの中継局４０は、インターネットを含む広域通信ネットワーク（通信ネットワーク）６２と接続されている。中継局は、例えばＷｉＦｉ（登録商標）ルータやＷｉＦｉアクセスポイントなどの通信機器である。本実施の形態では、無線通信には無線ＬＡＮ規格の１つであるＩＥＥＥ８０２．１１ａ、ＩＥＥＥ８０２．１１ｂ、ＩＥＥＥ８０２．１１ｇあるいはＩＥＥＥ８０２．１１ｎを利用している。もちろん、ＩＥＥＥ８０２．１１以外の無線ＬＡＮ規格に基づくものであってもよい。
【００１４】
クラウドサーバ２０は、広域通信ネットワーク６２および無線ＬＡＮの中継局４０を介して宅内５０に設置された家電アダプタ５と通信可能となっている。通信端末装置３０は、広域通信ネットワーク６２を介してクラウドサーバ２０と接続される。通信端末装置３０と広域通信ネットワーク６２におけるインターネットとの間は、３Ｇ（3rd Generation）、ＬＴＥ（Long Term Evolution）や、宅内あるいは公衆のＷｉＦｉアクセスポイントなどを利用して接続される。通信端末装置３０は、クラウドサーバ２０を介して、クラウドサーバ２０に家電アダプタ５との組み合わせが登録された空気調和機１０を遠隔操作できる。
【００１５】
家電アダプタ５と通信端末装置３０とはいずれも、無線通信機器であり、広域通信ネットワーク６２を介することなく、中継局４０を介して相互に通信することもできる。
【００１６】
なお、クラウドサーバ２０と中継局４０、および通信端末装置３０とクラウドサーバ２０とを繋ぐ通信網として広域通信ネットワーク６２としてインターネットを含む構成を例示したが、電話回線網、移動体通信網、ＣＡＴＶ通信網、衛星通信網などを利用することもできる。
【００１７】
通信端末装置３０は、例として、スマートフォンやタブレット端末を挙げることができる。
【００１８】
家電アダプタ５は、クラウドサーバ２０を介して通信端末装置３０より命じられた命令を空気調和機１０に伝達する電子機器である。なお、家電アダプタ５は、空気調和機１０以外の装置、例えば、冷蔵庫、洗濯機、調理器具、照明装置、給湯機器、撮影機器、各種ＡＶ機器、各種ロボット（例えば、掃除ロボット、家事支援ロボット、動物型ロボット等）等にも接続でき、通信端末装置３０から遠隔操作することができる。
【００１９】
空気調和機１０は、空気調和運転を行う装置であり、例として、エアコン、空気清浄機、加湿器、除湿機等を挙げることができる。空気調和機１０は、クラウドサーバ２０および家電アダプタ５を介して通信端末装置３０からの命令を受信することで、通信端末装置３０から遠隔操作できる構成となっている。なお、家電アダプタ５と空気調和機１０とが一体化された構成であってもよい。
【００２０】
本実施の形態においては、通信端末装置３０としてスマートフォンを例示し、空気調和機１０としてエアコンを例示する。つまり、スマートフォンを用いてエアコンを遠隔操作する構成を例示する。
【００２１】
図５は、空調システム１００における、通信端末装置３０を用いて空気調和機１０を遠隔操作するイメージを示す図である。通信端末装置３０とクラウドサーバ２０とは、広域通信ネットワーク６２を介して接続され、クラウドサーバ２０と宅内５０内の空気調和機１０の家電アダプタ５とは、広域通信ネットワーク６２と無線ＬＡＮの中継局４０を介して接続される。中継局４０と家電アダプタ５とは無線通信で接続されている。
【００２２】
（通信端末装置）
通信端末装置３０は、図２に示すように、制御部３１、記憶部３５、表示部３６、通信部３７および操作部３８を備えている。
【００２３】
制御部３１は、通信端末装置３０の各部の動作を制御するブロックである。制御部３１は、例えば、ＣＰＵや専用プロセッサなどの演算処理部などにより構成されるコンピュータ装置からなり、ＲＡＭ、ＲＯＭ、ＨＤＤなどを含む記憶部３５に記憶されている各種情報および各種制御を実施するためのプログラムを読み出して実行することで通信端末装置３０の各部の動作を統括的に制御する。また、制御部３１は、表示部３６を制御する表示制御部３２と、通信部３７を制御する通信制御部３３とを備える。さらに、通信制御部３３は、空気調和機１０の状態を示す情報（状態情報）を取得（状態取得）する状態取得部３４を備える。
【００２４】
通信部３７は、広域通信ネットワーク６２を介した通信と、狭域通信ネットワークの中継局４０を介した装置間の相互通信とを行うブロックである。
【００２５】
表示部３６は、制御部３１の表示制御部３２からの指示に応じてユーザに提示するための各種情報を表示するブロックである。本実施の形態では、図６や図７の（ｆ）に例示するように、状態取得部３４が取得した空気調和機１０の状態情報を表示する。特に、後述のように、空気調和機が自動ＯＦＦモードに設定された状態にあることを示す情報を表示する。
【００２６】
操作部３８は、ユーザからの入力を受け付けて制御部３１に伝達するブロックである。記憶部３５は、通信端末装置３０で用いられる各種情報を記憶するブロックである。
【００２７】
（家電アダプタおよび空気調和機）
家電アダプタ５は、クラウドサーバ２０を介して通信端末装置３０より受信した空気調和機１０に対する命令を空気調和機１０に伝達する電子機器である。家電アダプタ５は、図３に示すように、制御部６、記憶部７、通信部８、および接続部９を備えている。なお、本実施の形態では空気調和機１０はエアコンとするが、エアコンの室外機については図示および説明を省略する。
【００２８】
制御部６は家電アダプタ５の各部の動作を統括的に制御するブロックである。記憶部７は、家電アダプタ５で用いられる各種情報を記憶するブロックである。通信部８は、通信端末装置３０の通信部３７と同様の通信を行うブロックである。通信部８には、クラウドサーバ２０との間の通信エラーを検知するエラー検知部８ａが備えられている。接続部９は、空気調和機１０の接続部１６と相互通信するブロックである。接続部９には、空気調和機１０との間の通信エラーを検知するエラー検知部９ａが備えられている。
【００２９】
空気調和機１０は、空気調和運転を行う装置であり、図３に示すように、制御部１１、記憶部１３、運転動作部１４、電源部１５、接続部１６および環境検知部１７を備える。
制御部１１は、空気調和機１０の各部の動作を制御するブロックである。制御部１１は、例えば、ＣＰＵや専用プロセッサなどの演算処理部などにより構成されるコンピュータ装置からなり、ＲＡＭ、ＲＯＭ、ＨＤＤなどを含む記憶部１３に記憶されている各種情報および各種制御を実施するためのプログラムを読み出して実行することで空気調和機１０の各部の動作を統括的に制御する。また、制御部１１は、空気調和機１０の各種モードを設定するモード設定部１２を備える。記憶部１３は、空気調和機１０にて用いられる各種情報を記憶する。
【００３０】
運転動作部１４は、制御部１１による制御の下、空気調和機１０の各種運転動作を実行するブロックである。運転動作の例としては、空気調和運転が挙げられる。本実施の形態のように空気調和機１０がエアコンである場合の空気調和運転としては、冷房運転、暖房運転、除湿運転、送風運転などがある。イオン発生器を備えた機種であれば、冷房運転、暖房運転、除湿運転、送風運転と併用されるイオン発生運転、空気清浄機能を有する機種においては、空気清浄運転などがある。
【００３１】
また、空気調和機１０が、空気清浄機である場合の空気調和運転としては、空気清浄運転、加湿機能を有する機種においては、加湿兼用空気清浄運転、イオン発生器を備えた機種においては、空気清浄運転、加湿兼用空気清浄運転と併用されるイオン発生運転、などがある。また、空気調和機１０が加湿器である場合の空気調和運転としては、加湿運転、イオン発生器を備えた機種においては、加湿運転と併用されるイオン発生運転、などがある。また、空気調和機１０が、除湿機である場合の空気調和運転としては、除湿運転、イオン発生器を備えた機種においては、除湿運転と併用されるイオン発生運転、などがある。なお、これらは例示であり、これらに限定されるものではない。
【００３２】
電源部１５は、制御部１１からの指示に基づき電源のＯＮおよびＯＦＦを行うブロックである。接続部１６は、家電アダプタ５の接続部９との間で相互通信を行うブロックである。空気調和機１０の接続部１６と家電アダプタ５の接続部９との間の接続は、例えば、ＵＳＢコネクタによる接続などであってもよい。接続部１６には、家電アダプタ５との間の通信エラーを検知するエラー検知部１６ａが備えられている。
【００３３】
環境検知部１７は、宅内５０気温（室温）および宅内５０の湿度を測定（検知）するブロックである。環境検知部１７は、温度センサおよび湿度センサから構成される。さらに、宅外の気温（外気温）を測定するように構成されていてもよい。環境検知部１７は、温度および湿度のうちの一方を検知できるようになっていてもよい。また、環境検知部１７は、温度および湿度以外の宅内５０の環境条件について検知できる構成を備えていてもよい。
【００３４】
以上のように、本実施の形態では、空気調和機１０の遠隔操作を可能にする家電アダプタ５が外付けされた構成である。遠隔操作を可能とする通信機能部分を外付け構成としてオプション化することで、空気調和機１０のコストを抑えることができる。もちろん、空気調和機１０内部に通信機能部分が予め組み込まれている構成（空気調和機１０と家電アダプタ５と一体化した構成）であってもよい。
【００３５】
さらに、空気調和機１０は、通信端末装置３０からの遠隔操作だけでなく、ＩＲリモコンを用いた赤外線による近距離通信による操作が可能になっている。この場合、空気調和機１０の図示しない通信部がＩＲリモコンからの命令（制御信号）を受信して制御部１１による制御の下、各種運転動作が実行される。本実施の形態では、赤外線にて通信するものとしたが、他の近距離通信を行える無線あるいは有線にて通信してもよい。
【００３６】
（クラウドサーバ）
クラウドサーバ２０は、図４に示すように、制御部２１、記憶部２２、および通信部２３を備えている。制御部２１は、クラウドサーバ２０の各部の動作を制御するブロックである。通信部２３は、広域通信ネットワーク６２を介して通信端末装置３０および家電アダプタ５と相互通信を行うブロックである。記憶部２２は、クラウドサーバ２０で用いられる各種情報を記憶する。記憶部２２は、家電アダプタ５に接続した空気調和機１０の各種情報が格納されたデータベース（ＤＢ）２２ａを記憶している。また、各家電アダプタ５の識別情報と各通信端末装置３０の識別情報とを対応付けて記憶している。通信部２３には、家電アダプタ５との間の通信エラーを検知するエラー検知部２３ａが備えられている。
【００３７】
（遠隔操作における処理の流れ）
通信端末装置３０から空気調和機１０を遠隔操作する際の各装置の処理について説明する。
【００３８】
まず、通信端末装置３０にて空気調和機１０の操作を行う際の、通信端末装置３０の表示部３６に表示する情報（画面）について、図７に示す例を用いて説明する。図７の（ａ）は、遠隔操作対象の空気調和機１０を選択させる情報を示す機器選択画面の一例である。本実施の形態では、通信端末装置３０からの遠隔操作対象の空気調和機１０は１つであるため、図７の（ａ）には１台のエアコンのみ表示しているが、遠隔操作対象が複数ある（つまり、ある通信端末装置３０と複数の装置とが対応付けられている）場合には、機器選択画面には対応付けられた全ての装置を表示する。
【００３９】
機器選択画面に表示された遠隔操作対象の装置に対応するアイコンが押される（タップされる）ことで空気調和機１０が選択されると、図７の（ｂ）に示すように、選択された空気調和機１０の操作画面を表示する。操作画面は、ユーザが空気調和機１０に対する操作条件を設定し送信するための画面である。操作画面には、空気調和機１０に対する操作条件を設定するための操作エリア３６ｂが設定されている。
【００４０】
ユーザにより操作画面にて操作条件が設定され、操作画面の「この内容で送信」ボタン１０４が押されると、図７の（ｃ）の上の図に示すようなユーザの確認を取るための確認画面を表示する。また、図７の（ｂ）に示すような操作画面にて、空気調和機１０の停止を指示する「停止」ボタン１０５が押されると、図７の（ｃ）の下の図に示すようなユーザの確認を取るための確認画面を表示する。
【００４１】
そして、図７の（ｃ）の上の図に示すような確認画面の「ＯＫ」ボタン１０６が押されると、あるいは、図７の（ｃ）の下の図に示すような確認画面の「ＯＫ」ボタン１０７が押されると、通信端末装置３０は、空気調和機１０に対する操作指示の情報（以下では、操作指示と省略する）をクラウドサーバ２０に送信する。通信端末装置３０は、操作指示を送信中には、図７の（ｄ）に示すように、表示部３６に送信中であることを示す情報を表示し、操作を受け付けない。
【００４２】
次に、操作指示送信後の各装置の処理について、図８を用いて説明する。まず、通信端末装置３０は、ユーザによる空気調和機１０への操作指示を受け付け、それをクラウドサーバ２０に送信する（ステップ１、以下ではＳ１のように省略する）。このとき、どの家電アダプタ５（あるいは、どの空気調和機１０）への操作指示なのかを識別するため識別番号もあわせて送信する。
【００４３】
クラウドサーバ２０は、通信端末装置３０からの操作指示を受信すると（Ｓ２）、送信元の通信端末装置３０にリプライを送信し（Ｓ３）、操作指示を送信すべき家電アダプタ５（あるいは、空気調和機１０）を決定し（Ｓ４）、決定した家電アダプタ５へ操作指示を送信する（Ｓ５）。
【００４４】
家電アダプタ５は、クラウドサーバ２０から操作指示を受信すると（Ｓ６）、送信元のクラウドサーバ２０にリプライを送信し（Ｓ７）、接続部９にて接続している空気調和機１０に操作指示を送信する（Ｓ８）。
【００４５】
空気調和機１０は、家電アダプタ５から操作指示を受信すると（Ｓ９）、受信した操作指示に対する動作を実行するよう自機を設定し、その動作（例えば、運転開始、運転停止、設定温度変更、運転モード変更など）を実行する（Ｓ１０）。そして、運転中に受けた操作指示であるかを判定する（Ｓ１１）。Ｓ１１にて運転中に受けた操作指示でないと判定されるということは、通信端末装置３０から空気調和運転を開始させる操作指示が成されたということである。
【００４６】
Ｓ１１による判定の結果、運転中に受けた操作指示である場合（Ｓ１１にてＹＥＳ）、そのまま終了し、運転中に受けた操作指示でない場合（Ｓ１１にてＮＯ）、自機の状態を、自動ＯＦＦモードに遷移（変更）させ（Ｓ１２）、終了する。ここで、自動ＯＦＦモードとは、エラー検知部１６ａが家電アダプタ５との通信エラーを検知した時点、あるいは、家電アダプタのエラー検知部８ａがクラウドサーバ２０との通信エラーを検知した時点から、所定時間後（例えば、２４時間後）に空気調和運転が停止となるモードである。
【００４７】
なお、通信端末装置３０とクラウドサーバ２０間の通信エラーに関しては、空気調和機を停止させる所定時間計測開始のトリガとはならない。これは、通信端末装置３０は、トンネルやビルの谷間などでは通信が途切れることが多いが、すぐに回復し、空気調和機１０の制御はクラウドサーバ２０で行うため、制御上の問題はないためである。ここで、空気調和運転の停止とは、空気調和機１０の電源部１５がＯＦＦとなる状態であってもよいし、あるいは、電源部１５はＯＮのまま空気調和運転が停止する状態であってもよい。
【００４８】
通信端末装置３０は、Ｓ３にてクラウドサーバ２０から送信されたリプライを受信すると（Ｓ２１）、通信エラーの発生があるか否かを判定する（Ｓ２２）。通信エラーが発生していると判定した場合（Ｓ２２にてＹＥＳ）、クラウドサーバ２０との通信エラーであることを示す情報を表示部３６に表示する（Ｓ２３）。通信エラーが発生していない場合には（Ｓ２２にてＮＯ）、タイマーを開始し（Ｓ２４）、図９に記載の次の処理に進む。
【００４９】
また、クラウドサーバ２０は、Ｓ６にて家電アダプタ５から送信されたリプライを受信すると（Ｓ３１）、通信エラーの発生があるか否かを判定する（Ｓ３２）。通信エラーが発生していると判定した場合（Ｓ３３にてＹＥＳ）、終了する。通信エラーが発生していない場合には（Ｓ３２にてＮＯ）、タイマーを開始し（Ｓ３３）、所定時間経過したかを判定して（Ｓ３４）、所定時間経過すると（Ｓ３４にてＹＥＳ）、図９に記載の次の処理に進む。
【００５０】
その後、図９に示すように、クラウドサーバ２０は、空気調和機１０の状態を示す状態情報を取得するための指示情報である状態問合を家電アダプタ５に送信する（Ｓ６１）。
【００５１】
家電アダプタ５は、クラウドサーバ２０から状態問合を受信すると（Ｓ６２）、接続部９にて接続している空気調和機１０に状態問合を送信する（Ｓ６３）。
【００５２】
空気調和機１０は、家電アダプタ５から状態問合を受信すると（Ｓ６４）、自機の内部状態を示す状態情報を取得し（Ｓ６５）、それを接続部１６にて接続している家電アダプタ５に送信する（Ｓ６６）。Ｓ６５で取得する状態情報には、少なくとも、自機が自動ＯＦＦモードの状態にあるか否かの情報が含まれる。
【００５３】
家電アダプタ５は、空気調和機１０から状態情報を受信すると（Ｓ６７）、それをクラウドサーバ２０に送信する（Ｓ６８）。
【００５４】
クラウドサーバ２０は、家電アダプタ５から状態情報を受信すると（Ｓ６９）、それをＤＢ２２ａに書き込み、更新する（Ｓ７０）。
【００５５】
一方、通信端末装置３０は、Ｓ２４にてタイマーを開始した後、所定時間経過したかを判定して（Ｓ４１）、所定時間経過すると（Ｓ４１にてＹＥＳ）、状態情報を送信するよう指示する情報である状態送信依頼を送信した数を数えるカウンタを０にする（Ｓ４２）。そして、カウンタに１を加えて（Ｓ４３）、状態送信依頼をクラウドサーバ２０に送信する（Ｓ４４）。ここで、通信端末装置３０は、状態情報の送信および受信中には表示部３６に情報取得中であることを示す情報を表示し、他の操作を受け付けない。
【００５６】
クラウドサーバ２０は、通信端末装置３０から状態送信依頼を受信すると（Ｓ４５）、Ｓ５での操作指示送信以降に更新がなされているかＤＢ２２ａを確認し（Ｓ４６）、その結果を通信端末装置３０に送信する（Ｓ４７）。この結果とは、状態情報が更新されているかの情報であり、更新されていない場合には更新されていないことを示す情報を通信端末装置３０に送信する。更新されている場合には、更新された状態情報を通信端末装置３０に送信する。
【００５７】
通信端末装置３０は、結果を受信すると（Ｓ４８）、その結果から状態情報が更新されているかを判断し（Ｓ４９）、更新されていると判断した場合には（Ｓ４９にてＹＥＳ）、通信端末装置３０は、自装置における現在時刻である端末時刻を取得し（Ｓ５０）、例えば、図７（ｅ）に示すように、表示部３６に、設定が完了したことを示す画面を表示し、そして、図７の（ｆ）に示すように、表示部３６に状態情報および端末時刻を表示する（Ｓ５１）。なお、端末時刻は表示部３６を更新した時間であるので、表示部３６には更新時間として表示する。
【００５８】
図７の（ｆ）は、空気調和機１０の状態情報が表示された状態表示画面の一例を示す。この状態表示画面には、表示部３の空気調和機１０の状態情報を表示する状態表示エリア３６ａと空気調和機１０に対する操作条件を設定するための操作エリア３６ｂが設定されている。
【００５９】
特に、本実施の形態では、表示制御部３２は、表示部３の状態表示エリア３６ａに、空気調和機が自動ＯＦＦモードに設定された状態にあることを示す情報を表示する。図７の（ｆ）では、例として、この情報を「＊」マーク１０１で示している。「＊」マーク１０１を表示するのは、状態情報に、空気調和機１０が自動ＯＦＦモードに設定された状態にあることを示す情報が含まれる場合である。含まれてない場合、あるいは、空気調和機１０が自動ＯＦＦモードに設定された状態にないことを示す情報が含まれている場合には、「＊」マーク１０１を表示しない。このように、「＊」マーク１０１を表示することで、ユーザは、空気調和機が自動ＯＦＦモードに設定された状態にあることを容易に理解することができる。例えば、通信エラーが発生して通信端末装置３０からの操作が行えなくなった場合にも、空気調和機１０が自動ＯＦＦモードの状態にあると、所定時間後に空気調和運転が停止するため、ユーザは、「＊」マーク１０１の有無を確認することで、安心して通信端末装置３０からの操作を行うことができる。
【００６０】
さらに、表示制御部３２は、状態表示エリア３６ａに、受信した状態情報に含まれる情報、例えば、運転モード（例えば、冷房、暖房、空気清浄運転）、環境検知部１７が検知した温度および湿度などを表示する。
【００６１】
また、状態表示画面に示される操作エリア３６ｂに表示される「更新」ボタン１０３が押されると、空気調和機１０の状態情報の取得および表示を行う更新処理が実行される。このように「更新」ボタン１０３が押されるようなユーザからの指示に基づく更新処理、あるいは実施の形５で説明する自動更新処理は、次のように実現される。まず、通信端末装置３０からクラウドサーバ２０に対して、ユーザ操作無しで情報更新要求を送信し、情報更新要求を受信したクラウドサーバ２０は、空気調和機１０の状態情報を取得し、ＤＢ２２aを更新する処理（Ｓ６１〜Ｓ７０）を行う。一方、通信端末装置３０は、情報更新要求送信後、所定時間経過後にＳ４１からの処理を行い、最新の空気調和機１０の状態情報を取得（受信）する。
【００６２】
通信端末装置３０は、Ｓ４９にて状態情報が更新されていないと判断した場合には（Ｓ４９にてＮＯ）、カウンタが１０を超えたかを判定する（Ｓ５２）。１０を超えた場合には（Ｓ５２にてＹＥＳ）、通信エラーが発生していると判定でき、この場合の処理については、実施の形態２および３にて説明する。カウンタが１０を超えていない（１０以下の）場合には（Ｓ５２にてＮＯ）、所定時間待機し（Ｓ５３）、Ｓ４３から繰り返す。
【００６３】
本実施形態では、空気調和機１０が自動ＯＦＦモードに設定されるのは、通信端末装置３０から空気調和機１０の空気調和運転を開始させる操作を行った場合のみである。よって、通信端末装置３０の表示部３６に「＊」マーク１０１が表示されるのは、通信端末装置３０から空気調和機１０の空気調和運転を開始させる操作を行った場合のみである。そのため、ＩＲリモコンにて空気調和運転を開始させ、通信端末装置３０にて、設定温度やモードの変更などを行った場合には、「＊」マーク１０１は表示されない。また、通信端末装置３０からの空気調和運転開始の操作後、ＩＲリモコンにて設定温度やモードを変更などした場合には、自動ＯＦＦモードの設定が解除され、「＊」マーク１０１の表示は消される。このように、通信端末装置３０からの操作よりも空気調和機１０の近距離にあるＩＲリモコンからの操作が優先される。
【００６４】
また、ＩＲリモコンの表示部に空気調和機１０が自動ＯＦＦモードの状態にあるという情報（例えば、「＊」マーク）が表示される構成であってもよい。
【００６５】
上記では、自動ＯＦＦモードとは、エラー検知部１６ａ、またはエラー検知部９ａが通信エラーを検知した時点から所定時間後に空気調和機１０の空気調和運転がＯＦＦとなるモードとして説明した。しかし、通信エラーの検知以外の所定条件を満たしてから所定時間後に空気調和運転がＯＦＦになるモードであってもよい。所定条件とは、空調システム１００のいずれかの構成において満たされる条件であればよい。
【００６６】
〔実施の形態２〕
本実施の形態は、実施の形態１の空調システム１００構成において、さらに、家電アダプタ５とクラウドサーバ２０との間、あるいは家電アダプタ５と空気調和機１０との間で、通信エラーが発生した場合に、表示制御部３２が、通信エラーが発生していることを示す情報を表示部３６に表示する構成である。これ以外は実施の形態１と同様の構成であるため、同じ構成には同じ符号を付し、説明を省略する。
【００６７】
本実施の形態では、実施の形態１での処理に加え、以下の処理が実行される。
【００６８】
上記したＳ５２の判定にてカウンタが１０を超えた場合は、家電アダプタ５とクラウドサーバ２０との間で、あるいは家電アダプタ５と空気調和機１０との間で、通信エラーが発生している場合であり、その場合、表示制御部３２は、表示部３６に通信エラーが発生していることを示す情報を表示させる。図１０の（ａ）に、表示部３６に表示させる通信エラーが発生していることを示す情報の一例を示す。図１０の（ａ）は、エラーが発生していることを文字にて示しているエラー表示画面である。
【００６９】
以上のように、家電アダプタ５とクラウドサーバ２０との間、あるいは家電アダプタ５と空気調和機１０との間で、通信エラーが発生していることを示す情報が、通信端末装置３０の表示部３６に表示されるため、ユーザはこの通信エラーが発生していることを、通信端末装置３０にて容易に確認することができる。
【００７０】
なお、通信端末装置３０とクラウドサーバ２０との間の通信エラーが発生した場合には、通信端末装置３０の表示部３６には、通信エラーが発生していることを示す情報を表示（図１０の（ａ）参照）した後、機器選択画面（図７の（ａ）参照）を表示させるようになっている。
【００７１】
〔実施の形態３〕
本実施の形態は、実施の形態１の空調システム１００構成において、さらに、家電アダプタ５とクラウドサーバ２０との間で、あるいは家電アダプタ５と空気調和機１０との間で、通信エラーが発生した場合に、ＤＢ２２ａに残っている最新の状態情報を表示する構成である。通信エラー時には、クラウドサーバ２０のＤＢ２２ａは更新されないが、状態取得部３４は、ＤＢ２２ａに格納されている空気調和機１０の状態を示す最新の状態情報を取得し、表示制御部３２は、当該最新の状態情報を表示部３６に表示する。これ以外は実施の形態１と同様の構成であるため、同じ構成には同じ符号を付し、説明を省略する。
【００７２】
本実施の形態では、実施の形態１での処理に加え、以下の処理が実行される。
【００７３】
上記したＳ５２の判定にてカウンタが１０を超えた場合は、家電アダプタ５とクラウドサーバ２０との間で、あるいは家電アダプタ５と空気調和機１０との間で、通信エラーが発生している場合であり、その場合、通信端末装置３０は、図１１に示すように、ユーザからの指示を受け付けていない自動更新処理であるか否かの判定を行う（Ｓ７１）。自動更新処理である場合には（Ｓ７１にてＹＥＳ）、画面の更新なしと決定して（Ｓ７３）、表示部３における表示画面を更新せずに終了する。なお、自動更新処理については、実施の形態５にて説明する。
【００７４】
自動更新処理ではない場合（Ｓ７１にてＮＯ）、通信端末装置３０は、クラウドサーバ２０に対して、空気調和機１０が自動ＯＦＦモードの状態であるか否かの問い合わせるための指示情報である”自動ＯＦＦモード”状態問合を送信する（Ｓ７２）。これは、主に、状態取得部３４が行う。
【００７５】
クラウドサーバ２０は、通信端末装置３０から”自動ＯＦＦモード”状態問合を受信すると（Ｓ７４）、空気調和機１０が自動ＯＦＦモードに設定されているか否かの最新の情報をＤＢ２２ａから読み出すことで取得し（Ｓ７５）、通信端末装置３０に送信する（Ｓ７６）。
【００７６】
そして、通信端末装置３０は、クラウドサーバ２０から、空気調和機１０が自動ＯＦＦモードに設定されているか否かの最新の情報を受信すると（Ｓ７７）、自装置における現在時刻である端末時刻を取得し（Ｓ７８）、図１０の（ｂ）に示すように、表示部３６に状態情報および端末時刻を表示する（Ｓ７９）。なお、端末時刻は表示部３６を更新した時間であるので、表示部３６には更新時間として表示する。また、状態表示エリア３６ａの表示を「−−−」にて表示する（Ｓ８０）。これらの表示が行われた表示部３６の一例を図１０の（ｂ）に示す。
【００７７】
Ｓ７７にて、自動ＯＦＦモードに設定されているという情報を取得した場合には、図１０の（ｂ）ように、状態表示エリア３６ａには「＊」マーク１０１を表示する。自動ＯＦＦモードに設定されていないという情報を受信した場合には、「＊」マーク１０１を表示しない。また、図１０の（ｂ）では、空気調和機１０の状態が不明である（取得できてない）ため、状態表示エリア３６ａでは、自動ＯＦＦモードに設定されていることを示す情報（「＊」マーク）以外は、「−−−」を表示している。このとき、図１０（ｂ）の画面の「更新ボタン」１０３が押されることで、空気調和機１０の状態情報をクラウドサーバ２０のＤＢ２２ａから取得する、図９のＳ４１からの処理が実行される。他方、クラウドサーバ２０のＤＢ２２ａは、予め、通信端末装置３０からクラウドサーバ２０に対して情報更新要求（ユーザ操作はあってもなくてもよい）を送信し、情報更新要求を受信したクラウドサーバ２０が、ＤＢ２２aを更新する処理（Ｓ６１〜Ｓ７０）を行うことで更新される。なお、「更新ボタン」１０３が押されることで、通信端末装置３０からクラウドサーバ２０に対して情報更新要求が送信されるようになっていてもよい。
【００７８】
なお、上記で説明した図１０の（ａ）の画面に示される「ＯＫ」ボタン１０８が押されると、状態取得部３４がクラウドサーバ２０から空気調和機１０が自動ＯＦＦモードに設定されているか否かの情報、および更新時間を取得し、図１０の（ｂ）の画面に遷移するようになっていてもよい。
【００７９】
以上のように、本実施の形態では、空気調和機１０とクラウドサーバ２０との間、あるいは、家電アダプタ５と空気調和機１０との間で通信エラー発生しても、通信エラー発生前にクラウドサーバ２０が取得して格納している空気調和機１０の最新の状態情報を、表示部に表示させることができる。そのため、ユーザは通信端末装置３０にて空気調和機の最新の状態情報を確認することができる。
【００８０】
〔実施の形態４〕
本実施の形態は、実施の形態１の空調システム１００構成において、さらに、家電アダプタ５は、クラウドサーバ２０との間に発生した通信エラーが解消されることなくクラウドサーバ２０への所定時間毎の接続を所定回数繰り返すと、当該所定時間を長くなるように変更してから再接続を実行するする構成である。これ以外は実施の形態１と同様の構成であるため、同じ構成には同じ符号を付し、説明を省略する。
【００８１】
本実施の形態では、実施の形態１での処理に加え、以下の処理が実行される。
【００８２】
家電アダプタ５において、通信部８のエラー検知部８ａがクラウドサーバ２０との間の通信エラーを検知する。この通信エラーが解消されることなく通信部８からクラウドサーバ２０への所定時間毎の接続を所定回数繰り返すと、制御部６は、当該所定時間を長くなるように変更し、これに基づき通信部８は再接続を実行する。例えば、１５分毎の通信が３回エラーとなると、次は６０分毎の通信を行う。
【００８３】
また、空気調和機１０が、家電アダプタ５との間に発生した通信エラーが解消されることなく家電アダプタ５への所定時間毎の接続を所定回数繰り返すと、当該所定時間を長くなるように変更してから再接続を実行するする構成であってもよい。
【００８４】
このように、通信エラー発生時、次の通信までの間隔を長くして再接続することで、無駄な通信を抑えることができる。
【００８５】
〔実施の形態５〕
本実施の形態は、実施の形態１の空調システム１００構成において、さらに、通信端末装置３０へのユーザ操作が所定時間無い場合、状態取得部３４が、空気調和機１０の状態を示す情報を取得する構成である。これ以外は実施の形態１と同様の構成であるため、同じ構成には同じ符号を付し、説明を省略する。
【００８６】
ユーザが通信端末装置３０から空気調和機１０に対する操作をしている途中に、自動で、状態取得部３４が状態取得したり、表示制御部３２が更新された情報の表示を行うため表示部３６を待機状態にすると、ユーザの操作が延期されたりキャンセルされたりすることがあり、操作性がよくない。特に、空気調和機１０への操作は遠隔操作であるため、状態取得に要する時間が長く、さらに操作性が低下する。
【００８７】
そこで、本実施の形態では、ユーザが通信端末装置３０に対して何らかの操作をしている間は、空気調和機１０の状態取得や、更新された情報の表示を停止する。そして、ユーザが通信端末装置３０を所定時間操作しない場合には、状態取得部３４は空気調和機１０の状態を示す情報を取得し、表示制御部３２は表示部３６を制御し、表示部３６に表示された空気調和機１０についての各種情報を、状態取得部３４が取得した情報に基づき更新する（自動更新処理）。自動更新処理は、次のように実現される。まず、通信端末装置３０からクラウドサーバ２０に対して情報更新要求を送信し、情報更新要求を受信したクラウドサーバ２０は、空気調和機１０の状態情報を取得し、ＤＢ２２aを更新する処理（Ｓ６１〜Ｓ７０）を行う。一方、通信端末装置３０は、情報更新要求送信後、所定時間経過後にＳ４１からの処理を行い、最新の空気調和機１０の状態情報を取得（受信）する。
【００８８】
このように、状態取得部３４は、通信端末装置３０へのユーザからの操作がある場合には、空気調和機１０の状態を示す情報を取得しない。そのため、ユーザによる通信端末装置３０の操作中に、ユーザが意図しないまま表示部３６の情報が更新されたり、操作不能になったりすることを防ぐことができる。よって、通信端末装置３０の操作性を向上させることができる。
【００８９】
〔実施の形態６〕
本実施の形態は、実施の形態１の空調システム１００構成において、表示制御部３２は、環境検知部１７が空気調和運転とは無関係に動作する環境監視モードに設定されているか否かの情報を表示部３６に表示する構成である。これ以外は実施の形態１と同様の構成であるため、同じ構成には同じ符号を付し、説明を省略する。
【００９０】
環境監視モードとは、空気調和機１０が空気調和運転を実行している場合でも停止している場合でも関係なく、環境検知部１７が温度および湿度を検知するモードである。環境監視モードに設定されている場合には、表示制御部３２は、表示部３６に、環境監視モードに設定されていることを示す情報、例えば、図６に示すような「みはり中」マーク１０１、を表示する。このような表示の有無により、ユーザは通信端末装置３０にて環境監視モードに設定されているか否かの情報を確認することができる。
【００９１】
さらに、表示制御部３２が、環境検知部１７による検知結果に応じた情報を表示部３６に表示する構成であってもよい。環境検知部１７による検知結果に応じた情報とは、例えば、検知した温度および湿度の値そのものを示す情報であってもよい。あるいは、検知した温度および湿度の値に対応付けられたマークであってもよい。このようなマークを図１２に例示する。
【００９２】
「みはり中」は、環境監視モードに設定されており、環境検知部１７による検知結果が、室温が所定の温度（例えば、２６℃）以下であるものに対応づけられたマークである。「みはり＿自動」とは、環境監視モードに設定されており、環境検知部１７による検知結果が「みはり中」と同様であるが、室温が上記所定の温度を上回った場合に、空気調和機１０が自動で空気調和運転を開始するモードになっていることを示すマークである。なお、「みはり中」および「みはり＿自動」のマークの下地は、例えば、緑色にしてもよい。
【００９３】
下地の薄い「高温注意」は、環境監視モードに設定されており、環境検知部１７による検知結果が、室温が所定の温度（例えば、２６〜２９℃）であるものに対応づけられたマークである。下地の薄い「高温注意＿自動」は、環境監視モードに設定されており、環境検知部１７による検知結果が下地の薄い「高温注意」と同様であって、空気調和機１０が自動で空気調和運転していることを示すマークである。なお、下地の薄い「高温注意」および「高温注意＿自動」のマークの下地は、例えば、橙色にしてもよい。
【００９４】
下地の濃い「高温注意」は、環境監視モードに設定されており、環境検知部１７による検知結果が、室温が所定の温度（例えば、２９〜３３℃）であるものに対応づけられたマークである。下地の濃い「高温注意＿自動」は、環境監視モードに設定されており、環境検知部１７による検知結果が下地の濃い「高温注意」と同様であって、空気調和機１０が自動で空気調和運転していることを示すマークである。なお、下地の濃い「高温注意」および「高温注意＿自動」のマークの下地は、例えば、赤色にしてもよい。
【００９５】
なお、所定の温度は湿度などの環境条件によって変化させてもよい。
【００９６】
「乾燥注意」は、環境検知部１７による検知結果が、所定の湿度（例えば、５５％）以下であるものに対応づけられたマークである。なお、所定の湿度は室温などの環境条件によって変化させてもよい。「乾燥注意＿自動」は、環境検知部１７による検知結果が「乾燥注意」と同様であり、空気調和機１０が空気調和機１０と連動可能な機能を持った同室内の加湿空気清浄機に対し、赤外線通信により加湿運転を指示するモードであることを示すマークである。なお、「乾燥注意」および「乾燥注意＿自動」のマークの下地は、例えば、赤色にしてもよい。
【００９７】
なお、以上の所定温度および湿度による区分、および、上記の温度および湿度の値は、単なる例示である。
【００９８】
上記のようなマークが通信端末装置３０に表示されることで、ユーザは宅内の環境に注意を向けることができる。これら所定の温度および所定の湿度は、それぞれ予め設定されているものとするが、ユーザにて変更できるようなっていてもよい。
【００９９】
〔まとめ〕
本発明の態様１に係る空調システムは、室内の空気調和運転が可能な空気調和機（１０）と、上記空気調和機を通信ネットワークを介して操作する端末装置（通信端末装置３０）と、を備えた空調システム（１００）において、上記端末装置から上記空気調和機の上記空気調和運転を開始させる操作がなされた場合に、上記空気調和機を、所定条件が満された時点から所定時間後に上記空気調和運転が停止となる自動ＯＦＦモードに設定するモード設定部（１１）と、上記空気調和機の状態を示す情報を取得する状態取得部（３４）と、上記端末装置が有する表示部（３６）での表示を制御する表示制御部（３２）と、を備え、上記状態取得部が、上記空気調和機が自動ＯＦＦモードに設定された状態にあることを示す情報を取得すると、上記表示制御部は、上記空気調和機が自動ＯＦＦモードに設定された状態にあることを示す情報を上記表示部に表示することを特徴とする。
【０１００】
上記構成によると、端末装置の表示部に空気調和機が自動ＯＦＦモードの状態にあるという情報が表示される。よって、ユーザは表示されたこの情報を容易に確認することができる。例えば、通信エラーが発生して端末装置からの操作を行えなくなった場合にも、空気調和機が自動ＯＦＦモードの状態にあると、所定時間後に上記空気調和運転が停止するため、ユーザは、上記情報を得ることで、安心して端末装置からの操作を行うことができる。ここで、空気調和機が自動ＯＦＦモードに設定された状態にあることを示す情報は、例えば、マークなどであってよい。
【０１０１】
以上から分かるように、上記空調システムにより、ユーザに、通信ネットワークを介した空気調和機の操作を安心して行える環境を提供することができる。
【０１０２】
また、本発明の態様２に係る空調システムは、上記態様１に係る空調システムにおいて、上記モード設定部は、上記空気調和機に備えられており、上記空気調和機は、上記自動ＯＦＦモードに設定されている場合、上記所定条件が満された時点から所定時間後に自機の上記空気調和運転を停止してもよい。
【０１０３】
上記構成によると、モード設定部が空気調和機に備えられているため、ユーザ設定ではなく、空気調和機自体が自動ＯＦＦモードに設定する。そのため、ユーザは、より安心して端末装置からの遠隔操作を行うことができる。
【０１０４】
また、本発明の態様３に係る空調システムは、上記態様１または２に係る空調システムにおいて、上記空気調和機と上記端末装置とは、上記通信ネットワークに接続されたサーバ装置（クラウドサーバ２０）を介して通信しており、上記空気調和機と上記サーバ装置との間で通信エラーが発生した場合には、上記表示制御部は、当該通信エラーが発生していることを示す情報を上記表示部に表示してもよい。
【０１０５】
上記構成によると、空気調和機とサーバ装置との間で通信エラーが発生していることを示す情報が端末装置の表示部に表示されるため、ユーザは空気調和機とサーバ装置との間で通信エラーが発生していることを、容易に確認することができる。
【０１０６】
また、本発明の態様４に係る空調システムは、上記態様３に係る空調システムにおいて、上記空気調和機と上記サーバ装置との間の通信エラーを検知するエラー検知部を備え、上記自動ＯＦＦモードは、上記エラー検知部が通信エラーを検知した時点から所定時間後に上記空気調和運転が停止となるモードであってもよい。
【０１０７】
上記構成によると、空気調和機とサーバ装置との間の通信エラーを検知すると、エラー検知から所定時間後に電源がＯＦＦとなる。通信エラーが発生しても空気調和機の電源がＯＦＦになるため、ユーザが安心してシステムを使用できる。
【０１０８】
また、本発明の態様５に係る空調システムは、上記態様３または４に係る空調システムにおいて、上記サーバ装置は、上記空気調和機の状態を示す情報を格納しており、上記空気調和機と上記サーバ装置との間で通信エラーが発生した場合には、上記状態取得部は、上記サーバ装置に格納されている上記空気調和機の状態を示す最新の情報を取得し、上記表示制御部は、当該最新の情報を上記表示部に表示してもよい。
【０１０９】
上記構成によると、空気調和機とサーバ装置との間で通信エラー発生しても、通信エラー発生前にサーバ装置が取得して格納している空気調和機の状態を示す最新の情報を、表示部に表示させることができる。そのため、ユーザは端末装置にて空気調和機の状態に関する最新の情報を確認することができる。
【０１１０】
また、本発明の態様６に係る空調システムは、上記態様３から５のいずれか１つに係る空調システムにおいて、上記空気調和機は、上記サーバ装置との間に発生した通信エラーが解消されることなく上記サーバ装置への所定時間毎の接続を所定回数繰り返すと、当該所定時間を長くなるように変更してから再接続を実行してもよい。
【０１１１】
上記構成によると、通信エラーが解消されることなくサーバ装置への所定時間毎の接続を所定回数繰り返すと、所定時間を長くなるように変更してから再接続を実行することで、無駄な通信を抑えることができる。
【０１１２】
また、本発明の態様７に係る空調システムは、上記態様１から６のいずれか１つに係る空調システムにおいて、上記状態取得部は、上記端末装置へのユーザ操作が所定時間無い場合、上記空気調和機の状態を示す情報を取得してもよい。
【０１１３】
上記構成によると、端末装置へのユーザからの操作があると、空気調和機の状態を示す情報を取得しない。そのため、ユーザによる端末装置の操作中に、ユーザが意図せず表示部の情報が更新されたり、操作不能になったりすることを防ぐことができる。よって、操作性を向上させることができる。
【０１１４】
また、本発明の態様８に係る空調システムは、上記態様１から７のいずれか１つに係る空調システムにおいて、上記室内の温度または湿度の少なくとも一方を検知する環境検知部（１７）を備え、上記表示制御部は、上記環境検知部が上記空気調和運転とは無関係に動作する環境監視モードに設定されているか否かの情報、または、上記環境検知部による検知結果に応じた情報を、上記表示部に表示してもよい。
【０１１５】
上記構成によると、環境検知部が空気調和運転とは無関係に動作する環境監視モードに設定されているか否かの情報、または、環境検知部による温度または湿度の少なくとも一方の検知結果に応じた情報が表示される。よって、ユーザは端末装置にて表示された情報を確認することができる。
【０１１６】
また、本発明の各態様に係る端末装置または空気調和機は、コンピュータによって実現してもよく、この場合には、コンピュータを端末装置または空気調和機が備える各手部として動作させることにより端末装置または空気調和機をコンピュータにて実現させる端末装置または空気調和機の制御プログラム、およびそれを記録したコンピュータ読み取り可能な記録媒体も本発明の範疇に入る。
【０１１７】
本発明は上述した各実施形態に限定されるものではなく、種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１１８】
本発明は、例えば、スマートフォンやタブレット端末の端末装置から空気調和機を遠隔操作する空調システムなどに利用可能である。
【符号の説明】
【０１１９】
５      家電アダプタ
９      接続部
９ａ    エラー検知部
１０    空気調和機
１１    制御部
１２    モード設定部
１４    運転動作部
１６    接続部
１７    環境検知部
２０    クラウドサーバ（サーバ装置）
２２    記憶部
２２ａ  データベース
２３    通信部
２３ａ  エラー検知部
３０，３０−１，３０−２、３０−３    通信端末装置（端末装置）
３２    表示制御部
３４    状態取得部
３６    表示部
３７    通信部
３８    操作部
４０    中継局
５０    宅内
６２    広域通信ネットワーク（通信ネットワーク）
１００  空調システム
【図１】
2015049032.tif 000003
【図２】
2015049032.tif 000004
【図３】
2015049032.tif 000005
【図４】
2015049032.tif 000006
【図５】
2015049032.tif 000007
【図６】
2015049032.tif 000008
【図７】
2015049032.tif 000009
【図８】
2015049032.tif 000010
【図９】
2015049032.tif 000011
【図１０】
2015049032.tif 000012
【図１１】
2015049032.tif 000013
【図１２】
2015049032.tif 000014